(57)【要約】【課題】  吸い込んだダストの中から磁性を有する磁性ダストとその他の非磁性のダストを分別して廃棄可能とした携帯型集塵機を提供する。【解決手段】  吸い込んだダストを収納するダストケースが本体ハウジングに着脱自在とした携帯型集塵機において、ダストケース２０の外周側に磁石ホルダ２５を設け、永久磁石を有する磁石ユニット３０を磁石ホルダ２５に取り外し自在とする。集塵されたダストのうち磁性ダスト（鉄系ゴミ）は磁石ユニット３０に吸着されるので、図のようにダストケースからダスト（１３１、１３２）を廃棄するには、最初に（１）のように非磁性ダスト１３１を廃棄し、その後に磁石ユニット３０を取り外すことにより磁性ダスト１３２を廃棄するようにし、磁性ゴミと非磁性ゴミを容易に分別廃棄できる。【選択図】図７
2015195881.tif 000002
【特許請求の範囲】
【請求項１】
モータと、前記モータにより回転される集塵ファンと、前記モータ及び前記集塵ファンを収容する本体ハウジングと、該本体ハウジングに着脱可能に設けられ、前記集塵ファンの回転により発生した空気流から塵埃を取り除くフィルタ装置と、前記フィルタ装置を覆うように前記本体ハウジングに着脱可能に設けられ、前記フィルタ装置よりも前記空気流の上流側において塵埃を貯める貯留部を形成するためのダストケースと、を有する携帯型集塵機であって、
前記本体ハウジングにはハンドル部が設けられ、
前記ダストケースには、先端に吸込口が設けられ、後端に前記本体ハウジングと連結される開口部が設けられ、
前記貯留部内の塵埃の中の磁性ダストを吸着するための磁石を設けたことを特徴とする携帯型集塵機。
【請求項２】
前記磁石は、前記貯留部を区画する前記ダストケース又は前記本体ハウジングの壁面の外側に設けられ、前記磁性ダストが前記壁面を介して前記磁石により吸着されることを特徴とする請求項１に記載の携帯型集塵機。
【請求項３】
前記磁石は、前記壁面から離間可能に設けられることを特徴とする請求項２に記載の携帯型集塵機。
【請求項４】
前記ハンドル部は、前記モータの回転軸方向に延びると共に前記回転軸よりも上方に設けられ、前記磁石は前記回転軸よりも下側に設けられることを特徴とする請求項１から３のいずれか一項に記載の携帯型集塵機。
【請求項５】
前記ダストケース又は前記本体ハウジングに前記磁石を着脱可能に保持するための磁石ホルダを設けたことを特徴とする請求項１から４のいずれか一項に記載の携帯型集塵機。
【請求項６】
前記磁石はラッチ手段付きの磁石ケースにて表面全体が覆われ、
前記磁石ホルダは前記磁石ケースを収容する収容室と、前記ラッチ手段と係合する係合部を有し、
前記磁石は、前記磁石ケースに収容されて前記磁石ホルダに保持されることを特徴とする請求項５に記載の携帯型集塵機。
【請求項７】
前記ダストケース、前記磁石ホルダ、及び前記磁石ケースは合成樹脂にて製造されることを特徴とする請求項５又は６に記載の携帯型集塵機。
【請求項８】
前記磁石は、少なくとも前記貯留部の反対側の面が平面状に形成され、前記携帯型集塵機を載置面に載置した際に前記磁石の平面状部分が前記載置面と面接触可能であることを特徴とする請求項１から７のいずれか一項に記載の携帯型集塵機。
【請求項９】
前記磁石ホルダの前記収容室は、前記携帯型集塵機の前方向又は横方向に開口部が向くように配置され、前記ダストケースが前記本体ハウジングに装着されているか否かにかかわらずに、前記磁石ケースを前記磁石ホルダに装着又は取り外しができることを特徴とする請求項６に記載の携帯型集塵機。
【請求項１０】
前記磁石は永久磁石であることを特徴とする請求項１から９のいずれか一項に記載の携帯型集塵機。
【請求項１１】
前記磁石ホルダは前記ダストケースに形成され、前記ダストケースを前記本体ハウジングから取り外した際に前記磁石を前記磁石ホルダから着脱可能としたことを特徴とする請求項６に記載の携帯型集塵機。
【発明の詳細な説明】
【技術分野】
【０００１】
本発明は携帯型の集塵機に関し、特に、吸い込んだダストを収めるダストケースに吸い込まれた磁性ダストを容易に分類できるように改良した集塵機に関する。
【背景技術】
【０００２】
着脱自在な充電池を電源とし、モータにより集塵ファンを駆動する事による小型で携帯可能な集塵機が、例えば特許文献１により知られている。このような集塵機においては、モータや集塵ファンを収容しハンドル部が形成された本体ハウジングと、本体ハウジングに取り付けられ吸い込んだダストを貯留するためのダストケースを有する。ここで、従来の携帯型集塵機の構造及びその動作を図１４〜図１６を用いて説明する。
【０００３】
図１４に示す携帯型の携帯型集塵機１０１では、モータ１０を収容する本体ハウジング２と、本体ハウジング２の前方側に取り付けられるダストケース１２０の２つの主要部分を含んで構成される。携帯型集塵機１０１は、片手で本体を持ちながら集塵作業を行うことができる、いわゆる携帯型であって本体ハウジング２の後方側上部にはハンドル部２ａが形成され、本体ハウジング２の内部にはモータ１０と、モータ１０の回転軸に取り付けられる集塵ファン１３と、バッテリ９が収容される。モータ１０は、着脱可能なバッテリ９によって駆動される直流モータであり、本体ハウジング２の後方下側にバッテリ９を装着するための収容空間たるバッテリ装着部２ｂが形成される。モータ１０の回転は、ハンドル部２ａに設けられたトリガ１１を操作することにより切り替わるスイッチ１２によりＯＮ／ＯＦＦされる。本体ハウジング２の前方側には、集塵ファン１３の回転により吸引した塵埃等を溜めるためのダストケース１２０が着脱可能に取り付けられる。ダストケース１２０の着脱構造は種々知られており、図１４の例ではねじ込み構造にして、本体ハウジング２にはダストケース１２０の開口部の内側に所定距離だけ這い込むような円筒状の取付部３が形成し、取付部３の外周面に雄ねじ部３ａを設け、ダストケース１２０の開口部に接する内周面に雌ねじ部１２０ｄを設けるように構成している。この構成によれば、ダストケース１２０を本体ハウジング２に対して所定角度以上回すことによりダストケース１２０を本体ハウジング２に連結し（取り付け）、または所定角度以上回すことによりダストケース１２０を本体ハウジング２から離合（取り外し）できる。
【０００４】
ダストケース１２０の前方側には、塵埃等を吸引するための吸込口１２１が形成され、吸込口１２１の内部側の開口には、外部から吸引した塵埃等の逆流を防ぐための吸入弁１２２が設けられる。ダストケース１２０の内部にはフィルタ手段が収容される。フィルタ手段はフィルタ１６の外周側に設けられるプレフィルタ１７により構成される。フィルタ手段の外観形状は略円筒形又は略直方体状であり、プレフィルタ１７を保持するフィルタ１６はダストケース１２０側でなく、本体ハウジング２側に着脱可能に取り付けられる。プレフィルタ１７を通過した空気はフィルタ１６の外側から内側に向かい、本体ハウジング２側に流れる。
【０００５】
図１５は、スイッチ１２を操作しモータ１０を起動させた状態の空気の流れを示す図である。スイッチ１２を入れてモータ１０を起動すると、集塵ファン１３が回転し吸引力が発生する。集塵ファン１３としては、前方中央部から空気を吸引して、外周側に排出する遠心ファンを用いることができる。作業者が集塵作業を開始すると、図中の矢印１４１に示すように吸込口１２１からダストケース１２０内に空気が吸引され、塵埃等を含んだ空気１４２は矢印１４４のように流れてフィルタ装置（１６、１７）にて濾過され、集塵ファン１３により吸引される。この濾過において小さいダストはプレフィルタ１７の表面に付着し、大きいダストはダストケース１２０内に脱落する。濾過された空気のみがフィルタ１６を通り抜けて集塵ファン１３側に流れ、本体ハウジング２に流入された空気は矢印１４５〜１４７のように流れて、本体ハウジング２に設けられた排気口４から矢印１４８のように外部へ排出される。排気口４は本体ハウジング２の壁面に形成された複数のスリット状の風窓である。
【０００６】
さらに集塵作業を継続すると、フィルタ装置全体が塵埃で覆われて空気が通過しにくくなり、吸引力が低下する。その場合、作業者は本体ハウジング２からダストケース１２０を取り外し、ダストケース１２０内の塵埃を廃棄する。図１６はダストケース１２０内に蓄積したダストを外部に排出する手順を説明する図である。まず図１６（１）に示すように、本体ハウジング２をほぼ水平に保持して、ダストケース１２０をモータの延長軸線を回転中心となるように本体ハウジング２に対して相対的に回転させ、図中の矢印の方向にダストケース１２０を取外す。この際に堆積されたダスト１３０がダストケース１２０の開口部１２０ａから落ちないようにダストケース１２０を斜めに、例えば吸込口１２１側が斜め下になるように保持しても良い。次に、作業者はダストケース１２０をゴミ箱等の上に持って行き、矢印１５１のようにダストケース１２０を回転させて開口部１２０ａが下向きになるようにしてダスト１３０を排出する。
【先行技術文献】
【特許文献】
【０００７】
【特許文献１】特開２０１０−２６４４０８号公報
【発明の概要】
【発明が解決しようとする課題】
【０００８】
前記携帯型集塵機を使用し清掃作業を行う場合において、家庭および事務所等ではクリップやホチキスの針など、また建築現場においてはネジや釘等の磁性を有する磁性ダストがその他の非磁性ダストと一緒に吸引され、ダストケース内部に混ざった状態で収納されることがある。そのため磁性ダストの分別をきちんと行う場合は清掃作業終了後にダストケースを本体ハウジングから取り外し、排出されたダストの中から磁性を有する磁性ダストを選り分ける必要があった。または、集塵作業を行う作業箇所から事前に磁性を有する磁性ダストを拾い上げた後に、集塵機にて作業を行う必要があり、作業者の時間と労力を必要としていた。
【０００９】
本発明は上記背景に鑑みてなされたもので、その目的は、吸い込んだダストの中から磁性を有する磁性ダストとその他の非磁性のダストを容易に分別できるようにした携帯型の集塵機を提供することにある。
本発明の他の目的は、電力を消費することなく、また大きな設置容積を必要とせずに低コストで磁性ダストを分別する機構を提供した携帯型集塵機を実現することにある。
本発明のさらに他の目的は、作業者がダストに手を触れることなく、分別されたダストと非磁性ダストを別々にダストケースから排出することができるようにした携帯型集塵機を提供することにある。
【課題を解決するための手段】
【００１０】
本願において開示される発明のうち代表的なものの特徴を説明すれば次の通りである。
本発明の一つの特徴によれば、モータと、モータにより回転される集塵ファンと、モータ及び集塵ファンを収容する本体ハウジングと、本体ハウジングに着脱可能に設けられ、集塵ファンの回転により発生した空気流から塵埃を取り除くフィルタ装置と、フィルタ装置を覆うように本体ハウジングに着脱可能に設けられ、フィルタ装置よりも空気流の上流側において塵埃を貯める貯留部を形成するためのダストケースと、を有する携帯型集塵機であって、本体ハウジングにはハンドル部が設けられ、ダストケースには、先端に吸込口が設けられ、後端に本体ハウジングと連結される開口部が設けられ、貯留部内の塵埃の中の磁性ダストを吸着するための磁石を設けた。磁石は、貯留部を区画するダストケースや本体ハウジングの壁面の外側に設けられると良い。このように磁石を用いて構成することによって、吸い込まれた磁性ダストが壁を介して磁石により吸着されるので、吸い込んだダストの中から磁性を有する磁性ダストとその他の非磁性のダストを永久磁石を利用することにより電力を消費することなくまた大きな容積を必要とせず低コストで分別することを可能となり、ダストの廃棄時に非磁性ダストと磁性ダストを別々に排出することができ分別作業が容易になる。尚、磁石は壁から離間可能に設けると、磁性ダストを廃棄する際に磁力を減少させることにより磁性ダストを降下させることができるので、作業者は手を汚すことなくダストの廃棄作業を行うことができる。
【００１１】
本発明の他の特徴によれば、ハンドル部は、モータの回転軸方向に延びると共に回転軸よりも上方に設けられ、磁石は回転軸よりも下側に設けられるようにした。磁石は、ダストケース又は本体ハウジングに形成される保持するための磁石ホルダによって着脱可能に保持される。ここで、磁石はラッチ手段付きの磁石ケースにて表面全体が覆われ、磁石ホルダは磁石ケースを収容する収容室と、ラッチ手段と係合する係合部を有するように構成すると良い。磁石は、磁石ケースに収容されて磁石ホルダに保持される。尚、ダストケース、磁石ホルダ、及び磁石ケースは合成樹脂等の非磁性材料にて製造すると良い。
【００１２】
本発明のさらに他の特徴によれば、磁石は永久磁石であると好ましく、少なくとも貯留部の反対側の面が平面状に形成され、携帯型集塵機を載置面に載置した際に磁石の平面状部分が載置面と良好に面接触可能となるように構成した。磁石ホルダの収容室は、携帯型集塵機の前方向又は横方向に開口部が向くように配置され、ダストケースが本体ハウジングに装着されているか否かにかかわらずに、磁石ケースを磁石ホルダに装着又は取り外しができるようにした。磁石ホルダはダストケースに形成され、ダストケースを本体ハウジングから取り外した際に磁石を磁石ホルダから着脱可能とした。
【発明の効果】
【００１３】
本発明により、吸い込んだダストの中から磁性を有する磁性ダストとその他の非磁性のダストを電力を消費することなく、また大きな容積を必要とせず低コストで分別することが可能となり、清掃作業者がダストの中から磁性を有する磁性ダストを選り分けたり、事前に磁性を有する磁性ダストを拾い上げる時間と労力を削減することができる。また、集塵ファンによる吸引力により、ダストケース先端の吸込口より吸い込んだダストの中から、磁性を有する磁性ダストのみを永久磁石による分別用磁石によりダストケース内の任意の場所に集め保持することができるので、磁性ダストの分別廃棄作業が容易になった。
本発明の上記及び他の目的ならびに新規な特徴は、以下の明細書の記載及び図面から明らかになるであろう。
【図面の簡単な説明】
【００１４】
【図１】本発明の実施例に係る携帯型集塵機１の縦断面図である。
【図２】本発明の実施例に係る携帯型集塵機１の前方側の底面図である。
【図３】図２のＡ−Ａ部の断面図である。
【図４】図１の磁石ユニット３０の上面図である。
【図５】本発明の実施例に係る携帯型集塵機１の載置状態を示す側面図である。
【図６】本発明による携帯型集塵機１のダスト排出状況を説明するための断面図である。
【図７】本発明の実施例に係る携帯型集塵機１におけるダストの排出手順を説明するための図である。
【図８】本発明の第一の実施例の変形例に係るダストケース５０を示す断面図である。
【図９】本発明の第二の実施例に係る携帯型集塵機の縦断面図である。
【図１０】本発明の第二の実施例に係る携帯型集塵機におけるダストの排出手順を説明するための図である。
【図１１】本発明の第三の実施例に係る携帯型集塵機の縦断面図である。
【図１２】本発明の第三の実施例に係る携帯型集塵機におけるダストの排出手順を説明するための図である。
【図１３】本発明の第四の実施例に係る携帯型集塵機の縦断面図である。
【図１４】従来の携帯型集塵機１０１の縦断面図である。
【図１５】従来の携帯型集塵機１０１における空気流の流れを説明する縦断面図である。
【図１６】従来の携帯型集塵機１０１のダスト排出手順を説明するための図である。
【発明を実施するための形態】
【実施例１】
【００１５】
以下、本発明の実施例を図面に基づいて説明する。なお、以下の図において、同一の部分には同一の符号を付し、繰り返しの説明は省略する。また、本明細書においては、前後左右、上下の方向は図中に示す方向であるとして説明する。
図１は本発明の実施例に係る携帯型集塵機１の縦断面図である。本実施例において、図１４〜図１６を用いて説明した従来の携帯型集塵機１０１と異なるのは、ダストケース２０に磁石ホルダ２５を追加形成した点と、磁石ホルダ２５に磁石ユニット３０を着脱可能にしたことである。その他の構成は従来の携帯型集塵機１０１と同じ構成である。ダストケース２０は、先端に吸込口２１と吸入弁２２が設けられ、内部に吸引された空気とダストを分離するフィルタを設けられたものであって、プラスチック等の合成樹脂の一体成形によって製造され外形が略円筒形の形状とされる。本実施例では、ダストケース２０は本体ハウジング２に対して相対回転させる事によって着脱可能に構成され、後述する磁石を用いるために非磁性体にて製造される。ダストケース２０の形状そのものは図１４にて説明した従来のダストケース１２０とほぼ同様であって、取付部３の外周面に雄ねじ部３ａを設け、ダストケース２０の開口部に接する内周面に雌ねじ部２０ｄを設けられる。吸込口２１の先端側開口２１ａは、上側が前方に延びて下側が後方に後退するように斜めにカットされ、後端側開口には上部が固定されて集塵時に開く吸入弁２２が設けられる。吸入弁２２は吸込口２１から吸引された塵埃等の逆流を防ぐ弁であって、吸入弁１２２と同じように、例えばゴムにて製造できる。
【００１６】
ダストケース２０の後方側開口部に近い側には磁石ユニット３０を矢印の方向に装着するための磁石ホルダ２５が形成される。図２は携帯型集塵機１の前方側の底面図であって、磁石ホルダ２５の形状を示す図である。磁石ホルダ２５は、着脱可能に取り付けられる磁石ユニット３０を保持するための収容空間を形成するためにものであり、内部に６面のうち１面だけが開放される略直方体の収容室２６が形成される。収容室２６は前方側の開口部２５ａにて外部と連通しており、収容室２６の後方側端部は閉鎖端２５ｃとなっている。磁石ホルダ２５の左右の外辺は平行な平面部２５ｂ、２５ｄが形成され、平面部２５ｂ、２５ｄと収容室２６との設置関係によって、中心軸方向に延びる２本の平行する壁部が形成され、この壁部が後述する磁石ユニット３０の隙間部分３３（図４で後述）と係合する。平面部２５ｂ、２５ｄの一部には、磁石ユニット３０が抜け落ちないように保持するラッチ機構の一部を構成する凸部２５ｅ、２５ｆが形成される。
【００１７】
図３は図２のＡ−Ａ部の断面図である。この図からわかるようにダストケース２０の断面形状は正円形に形成され、その壁部２０ｃの壁面（円形の外郭面）の外側に突出するように磁石ホルダ２５が形成される。磁石ホルダ２５の底面２５ｇは平面状に形成され、床置きしたときの脚部を兼ねるように構成される。ダストケース２０及び磁石ホルダ２５はプラスチック等の合成樹脂によって一体成形で製造されると好ましく、ダストケース２０の後端となる開口部２０ａ（図２参照）の形状も正円形となるために、本体ハウジング２及びダストケース２０の開口部２０ａに円周方向に延びる溝部（雄ねじと雌ねじ）を構成して、本体ハウジング２とダストケース２０を相対的に回転させることによってダストケース２０を本体ハウジング２に着脱可能とした。尚、本実施例による磁力手段を用いた磁性ダスト、磁性ダストの収集機構はダストケース２０の断面形状が円形であるか、非円形であるかを問わないものであり、断面が非円形のダストケース２０においても同様に適用できる。また、本実施例による磁石を用いた磁性ダストの収集機構は本体ハウジング２とダストケース２０の装着方法によってその効果が左右されるものではないため、ダストケース２０を本体ハウジング２に対して相対的に回転させる方式だけに限られずに、その他の公知の固定方法によって着脱可能に構成しても良い。例えば、本体ハウジング２とダストケース２０の一方に側面視でＬ字状の溝を有し、他方にその溝に挿入可能な突起を有し、本体ハウジング２とダストケース２０を１回転未満、例えば４５°程度の相対回転させる事によって着脱可能な構成としても良いし、プラスチック製のラッチ又はパッチン錠等の公知の固定方法を用いても良い。
【００１８】
ダストケース２０における磁石ホルダ２５の形成位置については、図３のような携帯型集塵機１の中心軸（ここではモータ１０の回転軸線と一致）を基準に見た際に、図中１８０°で示される真下の位置に配置するようにしたが、ハンドル部２ａと中心軸を基準に見て反対側（反ハンドル側）に配置するようにすれば、所定の範囲内（１８０°から±θ°）の範囲内に配置するようにすれば、収集されたダストが貯留しやすい位置（ハンドル部からみて反対の下側部分）とほぼ一致することになるので、効率よく磁性ダストを吸着することができる。尚、θの値はダストケース２０の直径ｒと装着される磁石の幅ｄとの兼ね合いによってその最適な範囲が変わってくるが、θは４５°以内に、好ましくは±３０°以内にすれば好ましい。以上説明したようにダストケース２０の基本形状を構成する壁面（壁部２０ｃ）の外側にダストケース２０が突出するようにしたので、ダストケース２０の内部形状や貯留室の形状は何ら変更する必要がない上に、ダストの貯留量を減少させることがない。
【００１９】
図４は磁石ユニット３０の上面図である。磁石ユニット３０は、金属を分別するための磁力を発生させる永久磁石３５と、その外面全体を覆う磁石ケース３１によって主に構成される。磁石ケース３１はプラスチック等の非磁性材料にて製造する好ましく、永久磁石３５を鋳込むようにして一体成形するか、磁石ケース３１を筐体として形成してその中に永久磁石３５を収容するようにしても良い。尚、特定方向の磁力を強めるため又は弱めるために磁性体からなる又は磁性体を一部に含む磁石ケース３１としても良い。磁石ケース３１の前端部両側から左右方向にわずかに延在した後に前後方向に延在する保持アーム３２が取り付けられる。保持アーム３２は磁石ケース３１との間にできる隙間部分３３にダストケース２０の収容室２６の左右の壁面が入り込むもので、この際保持アーム３２のアーム部３２ａの一部であって内側面（永久磁石３５と向き合う面）に形成された凹部３２ｃが、磁石ホルダ２５の凸部２５ｅ、２５ｆと嵌合することにより、磁石ユニット３０が磁石ホルダ２５から抜け落ちないようにロックするラッチ機構として機能する。つまり、ラッチ手段としての凹部３２ｃが係合部としての凸部２５ｅ、２５ｆが係合する。磁石ユニット３０を取り外す際には、作業者が指で、アーム部３２ａの先端に形成される操作部３２ｂに矢印３６の方向に力を加えることにより、アーム部３２ａが矢印３７の方向にやや広がるため、凹部３２ｃと、磁石ホルダ２５の凸部２５ｅ、２５ｆとの嵌合状態が解除され、磁石ユニット３０を磁石ホルダ２５から前方側に取り外すことができる。このように磁石ユニット３０を磁石ホルダ２５の内部に容易に装着及び取り外し可能に構成したので、本体ハウジング２からみて前端側下部付近に磁性ダスト１３２を吸着することができる上に、磁石ユニット３０を取り外すことによって非磁性ダスト１３１廃棄後のダストケース２０から容易に磁性ダスト１３２を取り出すことができる。
【００２０】
図５は、本実施例に係る携帯型集塵機１の載置状態を示す側面図である。本実施例ではダストケース２０の下部に取り付けられた磁石ホルダ２５の底面２５ｇが脚部として作用するので、携帯型集塵機１を床４８に載置する場合には、本体ハウジング２の底面２ｃが床４８と良好に面接触し、前方側ではダストケース２０に形成された磁石ホルダ２５の底面が床４８に良好に当接する事になる。尚、図５では本体ハウジング２の底面２ｃと床４８の面接触状況を理解し易いように底面２ｃが床４８に接触する直前の状態（隙間がある状態）にて図示しているので注意されたい。図５の携帯型集塵機においては吸込口２１に延長パイプ２８が接続されているが、このように吸込口２１よりも前側が重くなっている状態でも底面２ｃが床４８に良好に面接触するので安定して携帯型集塵機１を載置することができる。尚、図５の状態では携帯型集塵機１の長手方向が水平になるように床置きした状態を示したが、携帯型集塵機１の長手方向が鉛直になるように、つまり延長パイプ２８が下側に本体ハウジング２側が上側になるように縦置きして、磁石ホルダ２５の底面を冷蔵庫等の前面や側面（金属製が多い）に密着させれば、携帯型集塵機１を立てかけることができる上に、金属面に対しては永久磁石３５の吸着力により強固に固定できる。
【００２１】
次に図６及び図７を用いて携帯型集塵機１における磁性ダストの収集とその廃棄手順を説明する。図６は本発明による携帯型集塵機１の集塵状況を説明するための断面図である。吸引の際の空気流の流れは図１５で説明したものと同じであるが、本実施例では磁石ホルダ２５に磁石ユニット３０が装着されているために、磁性ダスト１３２が磁石によって吸着され、ダストケース２０のダストをためることできる空間、即ち貯留部のうち磁石ユニット３０に隣接する特定部分に集中してとどまる。集塵作業が終了してから非磁性ダストと磁性ダスト１３２を廃棄するには、図７（１）に示すようにダストケース２０を取り外す。この際、フィルタ装置（１６、１７）は本体ハウジング２側にて保持されるため、ダストケース２０を取り外してもダストケース２０側には追従しない。次に、取り外されたダストケース２０を図示しないゴミ箱等の上で開口部２０ａを下にして非磁性ダスト１３１だけを廃棄する。次に、図７（２）に示すように作業者が磁石ユニット３０を磁石ホルダ２５から取り外して、磁石ユニット３０をダストケース２０の外壁面から離れる方向に移動（離間）させると磁気力が消出するため磁性ダスト１３２は重力により矢印のように落下する。この際、開口部２０ａを磁性ダスト用のゴミ箱の上に位置づけた状態とすれば非磁性ダスト１３１と磁性ダスト１３２を別々に廃棄することが可能であり、作業者はダストに触れることなく効率よく分別廃棄を行うことができる。
【００２２】
以上説明したように、本実施例ではダストケースに吸い込んだダストの中から磁性を有する磁性ダストとその他の非磁性のダストを永久磁石を利用することにより電力を消費することなく、また大きな容積を必要とせず分別することが可能となった。また、作業者がダストの中から磁性を有する磁性ダストを選り分けたり、事前に磁性を有する磁性ダストを拾い上げる必要がないので、分別作業の時間と労力を削減できた。尚、本実施例では磁石ホルダ２５の収容室２６は、携帯型集塵機１の前方向に開口して、磁石ユニット３０を前側に離脱させるようにしたが、その作用や効果、操作性を考えると、携帯型集塵機１の横方向（右又は左）に開口部２５ａが向くように配置して、磁石をダストケース２０の横側に離脱させるようにしても良い。
【００２３】
次に図８を用いて実施例１の変形例を説明する。ここでは磁石ホルダ５５が形成されたダストケース５０の形状以外の構成は、図１〜図７で示した第一の実施例と同じである。ここでは磁石ホルダ５５を前寄りであって吸込口５１に近い部分に設けた。また、磁石ユニット６０として厚さが薄いものを用いるようにした。厚さ方向が薄いこと以外は磁石ユニット６０の形状は磁石ユニット３０（図４参照）と同様である。本変形例では、開口部５０ａから磁性ダスト１３２が貯留する部分との距離ｓが十分確保できるので、非磁性ダストが最も貯留しやすい空間５８付近との距離をある程度確保できるので、磁性ダストと非磁性ダストを混入しにくくできた。尚、磁石ホルダを図８のように前寄り（吸込口５１に近い方）に形成するか、後ろ寄り（開口部５０ａ）に近い方に配置するかはダストケース５０の形状や、想定される磁性ダストの種類（クリップのように比較的軽めの金属か、ナットや釘のようにそれよりもやや重めの金属か）を考慮して最適な位置に配置するようにすれば良い。
【実施例２】
【００２４】
次に図９及び図１０を用いて本発明の第二の実施例を説明する。第二の実施例においては本体ハウジング２側の構成、フィルタ装置（１６、１７）の構成は第一の実施例と同じであって、ダストケース７０側の外側の構成が異なるものである。図９に示すようにモータ１０の回転軸に圧入した集塵ファン１３を設け、集塵ファン１３の回転によってフィルタ装置（１６、１７）を介して空気を吸い込み、排気口４から空気を排出するものである。本体ハウジング２の前端に設けられるダストケース７０は、本体ハウジング２と着脱可能に接続され、先端には吸込口７１が設けられ、吸込口７１の後端には吸入弁７２が設けられる。ダストケース７０の下部には、永久磁石からなる分別用の永久磁石７８を内蔵した可動式磁石ホルダ７５を回転軸７７を中心軸とし回転自在にダストケース７０に設け、また可動式磁石ホルダ７５をダストケース７０下面に密着した状態で固定するためのストッパ７４をダストケース７０に設ける。ストッパ７４はダストケース７０と共に合成樹脂の一体成形で製造される掛止部材であって、ストッパ７４は所定の弾力性を有することにより鍵状に折り曲がった部分にて可動式磁石ホルダ７５を保持すると共に、可動式磁石ホルダ７５を矢印７９の方向に所定以上の力を加えることに固定状態を解除できる。このような構成の集塵機において清掃作業を行った場合、吸込口７１より空気と一緒にダストが吸引され、ダストケース７０の内部のプレフィルタ１７と吸入弁７２の間の空間（貯留部）にダストが貯留される。このときダストの中のクリップやホチキスの針、またネジや釘等の磁性を有する金属ダストはダストケース７０下面に密着した可動式磁石ホルダ７５に内蔵された永久磁石７８の磁力により、ダストケース７０内側の永久磁石７８の取付位置付近に引き寄せられ、その位置にて保持される。清掃作業終了後にダストケース７０内部に収納されたダストを排出廃棄した後に、可動式磁石ホルダ７５を操作することにより磁性ダスト１３２を排出する。
【００２５】
ダストの排出の方法は、図１０（１）に示すように先ず本体ハウジング２からダストケース７０を取り外す。次にダストケース７０の開口部７０ａを下に向けると、ダストケース７０内部に収納されていたダストの内、非磁性ダスト１３１のみが重力により落下しダストケース７０より排出される。このとき磁性を有する磁性ダスト１３２は永久磁石７８の磁力によりダストケース７０内部に保持されており落下しない。次に、可動式磁石ホルダ７５をダストケース７０下面に密着した状態で固定するためのストッパ７４を外し、回転軸７７を中心軸としてアーム７６の先端に設けられた可動式磁石ホルダ７５を矢印７９のように回転させ、永久磁石７８の位置をダストケース７０から離すと、磁性ダスト１３２は永久磁石７８の磁力による作用から自由となり、重力によって落下しダストケース７０より排出される。このように２段階の排出操作が可能となるためダストケース７０内に収納されたダストから磁性を有する磁性ダスト１３２とその他の非磁性ダスト１３１を分別して廃棄可能となる。磁性ダスト１３２と非磁性ダスト１３１を別々に廃棄した後には、可動式磁石ホルダ７５を元の位置に戻してストッパ７４を固定し、ダストケース７０を再び本体ハウジング２に装着する。
【００２６】
第二の実施例の構成によれば、回転軸７７に軸支されるアーム７６の先端に永久磁石７８を保持する可動式磁石ホルダ７５を用いたため、磁性ダスト１３２を廃棄する際に永久磁石７８がダストケース７０の外壁面から略垂直方向に離れるため、永久磁石７８の移動に伴って磁性ダスト１３２がダストケース７０の内壁面に沿って移動することが防止できるので、スムーズに磁性ダスト１３２の吸着状態の解除を行うことができる。また、永久磁石７８を可動式磁石ホルダ７５に固定して、永久磁石７８と可動式磁石ホルダ７５を分離不能とすれば、使用時に永久磁石７８を紛失してしまうことを効果的に防止できる。
【実施例３】
【００２７】
次に図１１及び図１２を用いて本発明の第三の実施例を説明する。第三の実施例においては本体ハウジング２側の構成、フィルタ装置（１６、１７）の構成は第一、二の実施例と同じであって、ダストケース８０側の構成が若干異なるものである。ここでは、磁石ホルダ８５をダストケース８０の下部であるもののその開口部がダストケースの内側になるようにし、磁石ホルダ８５から磁石ユニット６０を取り外し自在に設けた。但し、ダストケース８０に設けた磁石ホルダ８５の開口部は、ダストケース８０が本体ハウジング２から取り外されたときだけ外部に露出するため、図１１のようにダストケース８０が本体ハウジング２に装着されているときは磁石ユニット６０の取り外しができない。このように構成することにより、集塵作業中に磁石ユニット６０が磁石ホルダ８５から抜け落ちることを確実に防止できる。
【００２８】
上記構成において集塵作業を行うと吸込口８１より空気と一緒にダストが吸引され、ダストケース８０の内部のプレフィルタ１７と吸入弁８２の間の空間に収納される。このとき磁性ダストはダストケース８０内側の分別用の磁石ホルダ８５に差し込まれた磁石ユニット６０の磁力により磁石ホルダ８５の周囲に引き寄せられ、また磁石ユニット６０の磁力によりその位置にて保持される。清掃作業終了後にダストケース８０内部に収納されたダスト１３０を排出廃棄する場合、先ず本体ハウジング２からダストケース８０を取り外すと磁石ホルダ８５の開口部８５ａが露出する。次に、ダストケース８０の開口部８０ａを下向きにして非磁性ダスト１３１を廃棄する。次に、作業者は磁石ユニット６０の保持アーム６２をつまみながら磁石ユニット６０を取り外すことにより磁性ダスト１３２も廃棄する。このように図７で示した手順と同様の手順で行うことが可能であるが、磁石ユニット６０の移動方向と磁性ダスト１３２の移動方向が一致する場合は、うまく取り外さないと開口部８０ａより外部に移動した磁性ダスト１３２を再び磁石ユニット６０に吸着させてしまう恐れがある。そこで、磁石ユニット６０の移動に伴って磁性ダスト１３２が移動しないように移動防止用のリブ８７を形成している。リブ８７はダストケース８０と共に合成樹脂の一体成形で製造すると良い。このようにリブ８７を設けることでダストケース８０の強度を向上させる事ができるという効果もある。尚、このような磁石ユニット６０の取り外しでなく図１２で示すような廃棄手順も可能である。
【００２９】
作業者はダストケース８０の開口部８０ａを下向きにして非磁性ダスト１３１を廃棄した後に、ダストケース８０を反転させて図１２に示すように開口部８０ａを上向きにする。この状態で磁石ユニット６０の保持アーム６２をつまみながら磁石ユニット６０を収容空間８６から取り外す。この際、磁石の移動方向が磁性ダスト１３２に作用する重力と反対方向であり、また磁性ダスト１３２の上部に移動防止用のリブ８７が形成されているので磁性ダスト１３２が磁石ユニット６０の移動に伴い開口部８０ａを越えて上側に移動することを防止できる。磁石ユニット６０による吸着力を失った磁性ダスト１３２は重力によりダストケース８０の底部側に落下するので、金属用のゴミ箱等まで磁性ダスト１３２を落とさずに移動可能であり、作業者は金属用のゴミ箱の上でダストケース８０を回転させて開口部８０ａを下向きにする事により磁性ダスト１３２を容易に廃棄できる。
【００３０】
以上、第３の実施例ではダストケース８０に設けた磁石ホルダ８５の開口部８５ａが、集塵機の運転中には外部に露出しないように構成したので、磁石ユニット６０を誤って取り外してしまうことを確実に防止できる上に、磁石ユニット６０を紛失してしまう恐れを大幅に減少させることができる。
【実施例４】
【００３１】
次に図１３を用いて本発明の第四の実施例を説明する。第四の実施例においては第三の実施例とほぼ同じであって、ダストケース９０に設けた磁石ホルダ９５の開口部が、ダストケース９０が本体ハウジング２から取り外されたときだけ外部に露出するように構成したものであるが、磁石ユニット６０の設置位置がダストケース９０の外郭を形成する壁の内側であってダストの貯留部に位置するように配置したものである。ここでも第三の実施例のリブ８７と同様にリブ９７を設けて、磁石ユニット６０を取り外す際に吸着された磁性ダスト１３２が磁石ユニット６０に吸着しながら移動することを阻止できるように構成した。第四の実施例においても、第三の実施例と同様にダストケース９０が本体ハウジング２に装着されているときは磁石ユニット６０の取り外しができないようにした。このように構成することにより、集塵作業中に磁石ユニット６０が磁石ホルダ９５から抜け落ちることを確実に防止できる。また、ダストケース９０の外観形状は図１４で説明した従来のダストケース１２０の外観形状と同一できる。
【００３２】
以上、本発明を実施例に基づいて説明したが、本発明は上述の実施例に限定されるものではなく、その趣旨を逸脱しない範囲内で種々の変更が可能である。例えば、上述の実施例では本体ハウジング２とダストケース２０が携帯型集塵機１のほぼ中央付近で前後に分離できるような筐体を有するように構成したが、吸い取られたダストを貯留する貯留室を覆うダストケースと本体ハウジングを連続して分離不能に形成して、ダストケースの一部分にダスト排出用の開口部を設けるようにした集塵機においても、磁石ホルダを形成して磁石ユニットを設けるようにすれば本発明を同様に適用することができる。また、上述の実施例ではバッテリにより駆動される携帯型集塵機の例を説明したが、ハンドル部を有して集塵機そのものを動かしながら稼働させる携帯型集塵機であれば、電源コードを有して外部電源で動作する集塵機であっても同様に適用できる。また、上述の実施例では磁石をダストケースに設ける例を説明したが、吸い取られたダストを貯留する貯留部を区画する壁面の外側に設けられる構成であれば本体ハウジングに磁石を設けてもよい。
【符号の説明】
【００３３】
１  携帯型集塵機                      ２  本体ハウジング
２ａ  ハンドル部                      ２ｂ  バッテリ装着部
２ｃ  底面                            ３  取付部
３ａ  雄ねじ部                        ４  排気口
９  バッテリ                          １０  モータ
１１  トリガ                          １２  スイッチ
１３  集塵ファン                      １６  フィルタ
１７  プレフィルタ                    ２０  ダストケース
２０ａ  開口部                        ２０ｃ  壁部
２０ｄ  雌ねじ部                      ２１  吸込口
２１ａ  先端側開口                    ２２  吸入弁
２５  磁石ホルダ                      ２５ａ  開口部
２５ｂ、２５ｄ  平面部                ２５ｃ  閉鎖端
２５ｅ、２５ｆ  凸部                  ２５ｇ  底部
２６  収容室                          ２８  延長パイプ
３０  磁石ユニット                    ３１  磁石ケース
３２  保持アーム                      ３２ａ  アーム部
３２ｂ  操作部                        ３２ｃ  凹部
３３  隙間部分                        ３５  永久磁石
４８  床                              ５０  ダストケース
５０ａ  開口部                        ５１  吸込口
５２  吸入弁                          ５５  磁石ホルダ
５８  空間                            ６０  磁石ユニット
６２  保持アーム                      ７０  ダストケース
７０ａ  開口部                        ７１  吸込口
７２  吸入弁                          ７４  ストッパ
７５  可動式磁石ホルダ                ７６  アーム
７７  回転軸                          ７８  永久磁石
８０  ダストケース                    ８０ａ  開口部
８１  吸込口                          ８２  吸入弁
８５  磁石ホルダ                      ８５ａ  開口部
８６  収容室                          ８７  リブ
９０  ダストケース                    ９１  吸込口
９２  吸入弁                          ９５  磁石ホルダ
９７  リブ                            １０１  携帯型集塵機
１２０  ダストケース                  １２０ａ  開口部
１２０ｄ  雌ねじ部                    １２１  吸込口
１２２  吸入弁                        １３０  ダスト
１３１  非磁性ダスト                  １３２  磁性ダスト
【図１】
2015195881.tif 000003
【図２】
2015195881.tif 000004
【図３】
2015195881.tif 000005
【図４】
2015195881.tif 000006
【図５】
2015195881.tif 000007
【図６】
2015195881.tif 000008
【図７】
2015195881.tif 000009
【図８】
2015195881.tif 000010
【図９】
2015195881.tif 000011
【図１０】
2015195881.tif 000012
【図１１】
2015195881.tif 000013
【図１２】
2015195881.tif 000014
【図１３】
2015195881.tif 000015
【図１４】
2015195881.tif 000016
【図１５】
2015195881.tif 000017
【図１６】
2015195881.tif 000018